(57)【要約】【課題】  受信に適切な物理チャンネルに関する情報が登録されたチャンネルリストを用意する。【解決手段】  チャンネルリスト作成部１８２は、全物理チャンネルをスキャンし、受信品質が所定値以上の物理チャンネルを特定しつつ、特定された物理チャンネルに対応する放送事業者識別及び地域識別を含む識別情報を抽出する。そして、チャンネルリスト作成部１８２は、識別情報の種類ごとに、受信品質が最良の物理チャンネルを選択し、選択された物理チャンネルの周波数と、当該物理チャンネルに対応する放送事業者識別及び地域識別とを関連付けて、チャンネルリストに追加する。また、チャンネルリスト作成部１８２は、既に、追加された物理チャンネルの識別情報と同じ識別情報と関連付けられた物理チャンネルの情報が登録されていた場合には、登録されていた情報をチャンネルリストから削除する。【選択図】  図５
2010245694.tif 000002
【特許請求の範囲】
【請求項１】
移動体に搭載され、放送波を受信する受信装置であって、
前記放送波の物理チャンネルの周波数情報と、前記物理チャンネルに対応する前記放送波から抽出された放送事業者識別情報及び地域識別情報を含む識別情報とが関連付けられたチャンネルリストを記憶する記憶手段と；
受信品質検出のための選局指定が行われた検出指定物理チャンネルの放送波の受信品質を検出する検出手段と；
前記記憶手段に記憶されているチャンネルリストと、前記検出手段による検出結果とにより定まるスキャン条件が満たされたか否かを判断するスキャン条件判断手段と；
前記スキャン条件が満たされた場合に、全物理チャンネルをスキャンし、受信品質が所定値以上の物理チャンネルを特定しつつ、前記特定された物理チャンネルのそれぞれに関する周波数情報、放送事業者識別情報及び地域識別情報を抽出するスキャン手段と；
前記記憶手段に記憶されている前記チャンネルリストと、前記スキャン手段による抽出結果とに基づいて、新たなチャンネルリストを生成し、前記記憶手段に記憶させる生成手段と；
を備えることを特徴とする受信装置。
【請求項２】
前記スキャン条件判断手段は、前記検出された受信品質が所定値以上の検出指定物理チャンネルに対応する識別情報が前記チャンネルリストに登録されていないという第１条件、及び、前記検出された受信品質が所定値以上の検出指定物理チャンネルに対応する識別情報が前記チャンネルリストに登録されており、かつ、前記検出指定物理チャンネルの放送波の受信品質が前記登録されている物理チャンネルの放送波の受信品質に比べて良好であるという第２条件のいずれかが満たされた場合に、前記スキャン条件が満たされたと判断する、ことを特徴とする請求項１に記載の受信装置。
【請求項３】
前記スキャン条件判断手段は、再生指定されている物理チャンネルに代えて最適な物理チャンネルを決定するサーチ処理の際における前記検出手段による検出結果を取得して、前記第２条件が満たされるか否かの判断を行う、ことを特徴とする請求項２に記載の受信装置。
【請求項４】
前記スキャン条件判断手段は、前記サーチ処理以外で、前記チャンネルリストに登録されている識別情報の１つと同一の識別情報に対応し、前記登録されている同一の識別情報に関連付けられて前記チャンネルリストに登録されている登録物理チャンネルとは異なる物理チャンネルの受信品質が検出された場合に、前記登録物理チャンネルの受信品質を新たに取得して、前記第２条件が満たされるか否かの判断を行う、ことを特徴とする請求項３に記載の受信装置。
【請求項５】
前記生成手段は、
前記スキャン手段により特定された物理チャンネルのうちにおいて、識別情報の種類ごとに、受信品質が最良の物理チャンネルを選択し、前記選択された物理チャンネルの周波数情報と、前記選択された物理チャンネルに対応する放送事業者識別情報及び地域識別情報を含む識別情報とを関連付けて、前記チャンネルリストに追加するとともに、
前記チャンネルリストに、既に、前記追加された物理チャンネルの識別情報と同じ識別情報と関連付けられた物理チャンネルの周波数情報が登録されていた場合には、前記登録されていた物理チャンネルの周波数情報と、前記物理チャンネルに対応する放送事業者識別情報及び地域識別情報を含む識別情報とを、前記チャンネルリストから削除する、
ことを特徴とする請求項１〜４のいずれか一項に記載の受信装置。
【請求項６】
前記生成手段は、前記チャンネルリストに登録されている地域識別情報のうちに、前記特定された物理チャンネルに対応する地域識別情報に含まれない他地域識別情報が存在する場合には、前記他地域識別情報に対応する物理チャンネルの情報を、前記チャンネルリストから削除する、
ことを特徴とする請求項１〜５のいずれか一項に記載の受信装置。
【請求項７】
前記生成手段は、前記チャンネルリストに登録されている放送事業者識別情報のうちに、前記特定された物理チャンネルに対応する放送事業者識別情報に含まれない他放送事業者識別情報が存在する場合には、前記他放送事業者識別情報と関連付けられている地域識別情報が前記特定された物理チャンネルに対応する地域識別情報に含まれているという条件のもとで、前記他放送事業者識別情報に対応する物理チャンネルの情報を、前記チャンネルリストに残存させる、
ことを特徴とする請求項１〜６のいずれか一項に記載の受信装置。
【請求項８】
利用者に対して前記チャンネルリストの内容を提示する提示手段を更に備え、
前記提示手段は、前記スキャン手段による最新のスキャンにより特定された物理チャンネルに対応する情報と、前記最新のスキャンにより特定されなかった物理チャンネルに対応する情報とを区別して提示する、
ことを特徴とする請求項１〜７のいずれか一項に記載の受信装置。
【請求項９】
移動体に搭載され、放送波を受信し、前記放送波の物理チャンネルの周波数情報と、前記物理チャンネルに対応する前記放送波から抽出された放送事業者識別情報及び地域識別情報を含む識別情報とが関連付けられたチャンネルリストを記憶する記憶手段を備え、前記記憶手段に記憶されている前記チャンネルリストを参照しつつ、選局処理を行う受信装置において使用される受信処理方法であって、
受信品質検出のための選局指定が行われた検出指定物理チャンネルの放送波の受信品質を検出する検出工程と；
前記記憶手段に記憶されているチャンネルリストと、前記検出工程における検出結果とにより定まるスキャン条件が満たされたか否かを判断するスキャン条件判断工程と；
前記スキャン条件が満たされた場合に、全物理チャンネルをスキャンし、受信品質が所定値以上の物理チャンネルを特定しつつ、前記特定された物理チャンネルのそれぞれに関する周波数情報、放送事業者識別情報及び地域識別情報を抽出するスキャン工程と；
前記記憶手段に記憶されている前記チャンネルリストと、前記スキャン工程における抽出結果とに基づいて、新たなチャンネルリストを生成し、前記記憶手段に記憶させる生成工程と；
を備えることを特徴とする受信処理方法。
【請求項１０】
請求項９に記載の受信処理方法を演算手段に実行させる、ことを特徴とする受信処理プログラム。
【請求項１１】
請求項１０に記載の受信処理プログラムが、演算手段により読み取り可能に記録されている、ことを特徴とする記録媒体。
【発明の詳細な説明】
【技術分野】
【０００１】
本発明は、受信装置、受信処理方法、受信処理プログラム、及び、当該受信処理プログラムが記録された記録媒体に関する。
【背景技術】
【０００２】
従来から、車両等の移動体の多くに地上デジタル放送を受信して再生する受信装置が搭載されている。こうした受信装置による放送受信の環境は、移動体の移動に伴って変化する。これは、地上デジタル放送では、地域ごとに配置される中継局としてＭＦＮ（Multi Frequency Network）方式が採用されており、同一放送事業者に対応する物理チャンネルが地域ごとに異なっているためである。このため、放送地域をまたがって移動体が移動する場合に、移動体が存在する各位置において、放送事業者の指定選局における適切な物理チャンネルが設定される必要がある。
【０００３】
かかる物理チャンネルの設定に関する技術としては、全地域にわたっての放送地域ごとの物理チャンネルグループのリスト（以下、「チャンネルリスト」とも記す）を予め用意しておき、位置検出手段により特定された移動体の現在位置に該当する地域に対応するチャンネルリストを読み出すものがある（特許文献１参照：以下、「従来例１」と呼ぶ）。また、かかる物理チャンネルの設定に関する技術としては、ある受信位置で全物理チャンネルをスキャンして当該受信位置に対応するチャンネルリストを作成しておき、その後の物理チャンネルのシーク動作における受信品質等の検出結果に基づいて、チャンネルリストの内容を更新するものがある（特許文献２参照：以下、「従来例２」と呼ぶ）。この従来例２の技術は、シーク動作において放送波が受信可能であると判断された物理チャンネルが存在し、かつ、当該物理チャンネルがチャンネルリストに登録されていない場合には、当該物理チャンネルに関する情報をチャンネルリストに追加するようになっている。また、チャンネルリストには登録されている物理チャンネルではあるが、シーク動作において放送波が受信不能であると判断された物理チャンネルについては、当該物理チャンネルに関する情報をチャンネルリストから削除するようになっている。
【先行技術文献】
【特許文献】
【０００４】
【特許文献１】特開２００８−１２４７１８号公報
【特許文献２】特開２００８−９９０２８号公報
【発明の概要】
【発明が解決しようとする課題】
【０００５】
上述した従来例１の技術では、全地域にわたっての放送地域ごとのチャンネルリストを保持するための大容量の不揮発性メモリが必要となり、受信装置自体が高価なものとなってしまう。また、従来例１の技術では、予め用意された放送地域ごとのチャンネルリストから、特定された移動体の現在位置に該当する地域に対応するチャンネルリストを読み出すため、ある中継局の物理チャンネルが変更となった場合や中継局が新たに新設された場合に、放送事業者による放送の受信のための適切なチャンネルリストを用意することができない。さらに、従来例１の技術では、移動体の現在位置を検出する位置検出手段が、必須の構成要素なる。
【０００６】
上述した従来例２の技術では、チャンネルリストの更新の際に、全物理チャンネルのスキャンを行わない。このため、従来例２の技術では、チャンネルリストを全物理チャンネルのスキャンの結果に基づいて最初に作成した位置以外の位置に移動体が存在する場合には、その位置において受信に適切な物理チャンネルに関する情報が、チャンネルリストに用意されていない可能性がある。
【０００７】
このため、全地域にわたっての放送地域ごとのチャンネルリストを予め用意することなく、移動体が存在する各位置において、受信に適切な物理チャンネルに関する情報を、適時、チャンネルリストに用意することのできる技術が待望されている。かかる要請に応えることが、本発明が解決すべき課題の一つとして挙げられる。
【０００８】
本発明は、上記の事情を鑑みてなされたものであり、記憶資源を節約しつつ、移動体が存在する各位置において、受信に適切な物理チャンネルに関する情報が登録されたチャンネルリストを用意することができる受信装置及び受信処理方法を提供することを目的とする。
【課題を解決するための手段】
【０００９】
請求項１に記載の発明は、移動体に搭載され、放送波を受信する受信装置であって、前記放送波の物理チャンネルの周波数情報と、前記物理チャンネルに対応する前記放送波から抽出された放送事業者識別情報及び地域識別情報を含む識別情報とが関連付けられたチャンネルリストを記憶する記憶手段と；受信品質検出のための選局指定が行われた検出指定物理チャンネルの放送波の受信品質を検出する検出手段と；前記記憶手段に記憶されているチャンネルリストと、前記検出手段による検出結果とにより定まるスキャン条件が満たされたか否かを判断するスキャン条件判断手段と；前記スキャン条件が満たされた場合に、全物理チャンネルをスキャンし、受信品質が所定値以上の物理チャンネルを特定しつつ、前記特定された物理チャンネルのそれぞれに関する周波数情報、放送事業者識別情報及び地域識別情報を抽出するスキャン手段と；前記記憶手段に記憶されている前記チャンネルリストと、前記スキャン手段による抽出結果とに基づいて、新たなチャンネルリストを生成し、前記記憶手段に記憶させる生成手段と；を備えることを特徴とする受信装置である。
【００１０】
請求項９に記載の発明は、移動体に搭載され、放送波を受信し、前記放送波の物理チャンネルの周波数情報と、前記物理チャンネルに対応する前記放送波から抽出された放送事業者識別情報及び地域識別情報を含む識別情報とが関連付けられたチャンネルリストを記憶する記憶手段を備え、前記記憶手段に記憶されている前記チャンネルリストを参照しつつ、選局処理を行う受信装置において使用される受信処理方法であって、受信品質検出のための選局指定が行われた検出指定物理チャンネルの放送波の受信品質を検出する検出工程と；前記記憶手段に記憶されているチャンネルリストと、前記検出工程における検出結果とにより定まるスキャン条件が満たされたか否かを判断するスキャン条件判断工程と；前記スキャン条件が満たされた場合に、全物理チャンネルをスキャンし、受信品質が所定値以上の物理チャンネルを特定しつつ、前記特定された物理チャンネルのそれぞれに関する周波数情報、放送事業者識別情報及び地域識別情報を抽出するスキャン工程と；前記記憶手段に記憶されている前記チャンネルリストと、前記スキャン工程における抽出結果とに基づいて、新たなチャンネルリストを生成し、前記記憶手段に記憶させる生成工程と；を備えることを特徴とする受信処理方法である。
【００１１】
請求項１０に記載の発明は、請求項９に記載の受信処理方法を演算手段に実行させる、ことを特徴とする受信処理プログラムである。
【００１２】
請求項１１に記載の発明は、請求項１０に記載の受信処理プログラムが、演算手段により読み取り可能に記録されている、ことを特徴とする記録媒体である。
【図面の簡単な説明】
【００１３】
【図１】本発明の一実施形態に係る受信装置の構成を概略的に示すブロック図である。
【図２】図１の再生処理ユニットの構成を示すブロック図である。
【図３】図２の再生用ＯＦＤＭ復調部の構成を示すブロック図である。
【図４】図２の付加ＯＦＤＭ復調部の構成を示すブロック図である。
【図５】図１の制御ユニットの構成を示すブロック図である。
【図６】図５の記憶部における記憶内容を説明するための図である。
【図７】図６のチャンネルリストの内容を説明するための図である。
【図８】図６の中継局周波数情報の内容を説明するための図である。
【図９】図１の装置によるチャンネルリストの更新処理を説明するためのフローチャートである。
【図１０】更新前のチャンネルリストの一例を説明するための図である。
【図１１】スキャンにより特定された物理チャンネル及び識別情報の一例を説明するための図である。
【図１２】図９のチャンネルリストからの情報の削除処理を説明するためのフローチャートである。
【図１３】更新後のチャンネルリストの一例を説明するための図である。
【発明を実施するための形態】
【００１４】
以下、本発明の一実施形態を、図１〜図１３を参照して説明する。なお、本実施形態においては、車両に搭載され、ＭＰＥＧ方式によるコード化が行われた後に、ＯＦＤＭ（Orthogonal Frequency Division Multiplex）変調が施された地上デジタル放送波を受信して処理する受信装置を例示して説明する。また、以下の説明及び図面においては、同一又は同等の要素には同一の符号を付し、重複する説明を省略する。
【００１５】
［構成］
図１には、一実施形態に係る受信装置１００の概略的な構成がブロック図にて示されている。この図１に示されるように、受信装置１００は、２個のアンテナ１１０1,１１０2と、２個のＲＦ処理ユニット１２０1,１２０2と、再生処理ユニット１３０とを備えている。また、受信装置１００は、操作入力ユニット１４０と、音出力ユニット１５０と、表示ユニット１６０とを備えている。さらに、受信装置１００は、制御ユニット１８０を備えている。
【００１６】
上記のアンテナ１１０1，１１０2は、放送波を受信する。そして、アンテナ１１０1による受信結果は、受信信号ＲＦＳ1として、ＲＦ処理ユニット１２０1へ送られる。また、アンテナ１１０2による受信結果は、受信信号ＲＦＳ2として、ＲＦ処理ユニット１２０2へ送られる。
【００１７】
上記のＲＦ処理ユニット１２０1は、制御ユニット１８０からの選局指令ＣＳＬ1及び再生処理ユニット１３０からの自動利得制御信号ＡＧＣ1に従って、選択すべき物理チャンネルの信号を受信信号ＲＦＳ1から抽出する選局処理を行う。この選局処理の結果は、信号ＩＦＳ1として再生処理ユニット１３０へ送られる。
【００１８】
上記のＲＦ処理ユニット１２０2は、制御ユニット１８０からの選局指令ＣＳＬ2及び再生処理ユニット１３０からの自動利得制御信号ＡＧＣ2に従って、選択すべき物理チャンネルの信号を受信信号ＲＦＳ2から抽出する選局処理を行う。この選局処理の結果は、信号ＩＦＳ2として再生処理ユニット１３０へ送られる。
【００１９】
ＲＦ処理ユニット１２０j（ｊ＝１，２）は、入力フィルタ、高周波増幅器、バンドパスフィルタ（以下、「ＲＦフィルタ」とも呼ぶ）、ミキサ（混合器）、中間周波フィルタ（以下、「ＩＦフィルタ」とも呼ぶ）、中間周波増幅器、局部発振回路等（いずれも不図示）を備えて構成されている。
【００２０】
このＲＦ処理ユニット１２０jでは、対応するアンテナ１１０jからの受信信号ＲＦＳjが、入力フィルタを通過することにより、帯域外成分が除去された後、高周波増幅器により増幅される。こうして高周波増幅器により増幅された信号は、ＲＦフィルタにより、特定の高周波数範囲の信号が抽出された後、ミキサにおいて、制御ユニット１８０からの選局指令ＣＳＬjに従って局部発振回路により生成された希望局に対応する周波数を有する局部発振信号と混合される。ミキサによる混合結果からＩＦフィルタにより予め定められた中間周波数帯の信号が選択される。中間周波増幅器は、ＩＦフィルタを通過した信号を増幅する。ここで、中間周波増幅器の増幅率は、再生処理ユニット１３０からの自動利得制御信号ＡＧＣjによって制御されるようになっている。この中間周波増幅器による増幅結果は、信号ＩＦＳjとして、再生処理ユニット１３０へ向けて出力される。
【００２１】
上記の再生処理ユニット１３０は、制御ユニット１８０による制御のもとで、ＲＦ処理ユニット１２０1，１２０2からの信号ＩＦＳ1，ＩＦＳ2を処理して、音出力ユニット１５０へ供給するための音声データＡＤＴ及び表示ユニット１６０へ供給するための映像データＩＤＴを生成する。この再生処理ユニット１３０は、図２に示されるように、再生用ＯＦＤＭ復調部１３１1と、付加ＯＦＤＭ復調部１３１2と、デコード部１３２とを備えている。また、再生処理ユニット１３０は、音声処理部１３３と、映像処理部１３４とを備えている。
【００２２】
上記の再生用ＯＦＤＭ復調部１３１1は、ＲＦ処理ユニット１２０1における利得の自動制御を行うとともに、ＲＦ処理ユニット１２０j（ｊ＝１，２）からの信号ＩＦＳj に基づいて、ＯＦＤＭ復調処理を行う。この再生用ＯＦＤＭ復調部１３１1は、図３に示されるように、ＡＧＣ制御部２２１1と、信号合成部２２２と、復調部２２３1とを備えている。また、さらに、再生用ＯＦＤＭ復調部１３１1は、ＣＮＲ検出部２２５Mを備えている。
【００２３】
上記のＡＧＣ制御部２２１1は、ＲＦ処理ユニット１２０1からの信号ＩＦＳ1を受ける。そして、ＡＧＣ制御部２２１1は、信号ＩＦＳ1の信号レベルを検出し、信号レベルを所定レベルとするための自動利得制御信号ＡＧＣ1を生成する。こうして生成された自動利得制御信号ＡＧＣ1は、選局中のチャンネルの信号のアンテナ１１０1における受信レベルを反映したものとなっている。生成された自動利得制御信号ＡＧＣ1は、ＲＦ処理ユニット１２０1へ送られる。
【００２４】
上記の信号合成部２２２は、ＲＦ処理ユニット１２０1，１２０2からの信号ＩＦＳ1，ＩＦＳ2を受ける。そして、制御ユニット１８０による制御のもとで、信号合成処理を行う。
【００２５】
この信号合成部２２２は、制御ユニット１８０からの合成制御指令ＳＮＣにより合成すべきことが指定された場合には、信号ＩＦＳ1，ＩＦＳ2の２つの信号の合成を行い、信号ＳＮＤとして復調部２２３1及びＣＮＲ検出部２２５Mへ送る。一方、信号合成部２２２は、制御ユニット１８０からの合成制御指令ＳＮＣにより合成すべきではないことが指定された場合には、信号合成を行わず、信号ＩＦＳ1を信号ＳＮＤとして、復調部２２３1及びＣＮＲ検出部２２５Mへ送る。
【００２６】
上記の復調部２２３1は、信号合成部２２２からの信号ＳＮＤを受ける。そして、復調部２２３1は、信号ＳＮＤに対してＯＦＤＭ復調を施す。このＯＦＤＭ復調結果における音声及び映像に関する部分は、コンテンツ復調信号ＤＭＤとして、デコード部１３２へ向けて出力される。一方、ＯＦＤＭ復調結果における音声及び映像に関するデータ放送部分は、信号ＤＢＤ1として制御ユニット１８０へ向けて出力される。かかる信号ＤＢＤ1に含まれる情報としては、ＰＳＩ（Program Specific Information）に含まれるＮＩＴ（Network Information Table）情報等がある。
【００２７】
上記のＣＮＲ検出部２２５Mは、信号合成部２２２からの信号ＳＮＤを受ける。そして、ＣＮＲ検出部２２５Mは、信号ＳＮＤにおけるＣＮＲ（Carrier to Noise Ratio）を検出する。この検出結果は、検出値ＣＮＲMとして、制御ユニット１８０に報告される。
【００２８】
図２に戻り、上記の付加ＯＦＤＭ復調部１３１2は、ＲＦ処理ユニット１２０2における利得の自動制御を行うとともに、ＲＦ処理ユニット１２０2からの信号ＩＦＳ2 に基づいて、ＯＦＤＭ復調処理を行う。この付加ＯＦＤＭ復調部１３１2は、図４に示されるように、ＡＧＣ制御部２２１2と、復調部２２３2と、検出手段としてのＣＮＲ検出部２２５Sとを備えている。
【００２９】
上記のＡＧＣ制御部２２１2は、ＲＦ処理ユニット１２０2からの信号ＩＦＳ2を受ける。そして、ＡＧＣ制御部２２１2は、信号ＩＦＳ2の信号レベルを検出し、信号レベルを所定レベルとするための自動利得制御信号ＡＧＣ2を生成する。こうして生成された自動利得制御信号ＡＧＣ2は、選局中のチャンネルの信号のアンテナ１１０2における受信レベルを反映したものとなっている。生成された自動利得制御信号ＡＧＣ2は、ＲＦ処理ユニット１２０2へ送られる。
【００３０】
上記の復調部２２３2は、ＲＦ処理ユニット１２０2からの信号ＩＦＳ2を受ける。そして、復調部２２３2は、信号ＩＦＳ2に対してデータ放送部分に関するＯＦＤＭ復調を施す。このＯＦＤＭ復調結果は、信号ＤＢＤ2として制御ユニット１８０へ向けて出力される。かかる信号ＤＢＤ2に含まれる情報としては、信号ＤＢＤ1の場合と同様に、ＮＩＴ情報等がある。
【００３１】
上記のＣＮＲ検出部２２５Sは、ＲＦ処理ユニット１２０2からの信号ＩＦＳ2を受ける。そして、ＣＮＲ検出部２２５Sは、信号ＩＦＳ2におけるＣＮＲを検出する。この検出結果は、検出値ＣＮＲSとして、制御ユニット１８０に報告される。
【００３２】
図２に戻り、上記のデコード部１３２は、再生用ＯＦＤＭ復調部１３１1からのコンテンツ復調信号ＤＭＤを受ける。そして、デコード部１３２は、コンテンツ復調信号ＤＭＤのデコードを行い、音声に関するデコード結果を、復調音声データＤＡＤとして、音声処理部１３３へ送る。また、デコード部１３２は、映像に関するデコード結果を、復調映像データＤＩＤとして、映像処理部１３４へ送る。
【００３３】
上記の音声処理部１３３は、復調音声データＤＡＤに基づいて音声データＡＤＴを生成する。生成された音声データＡＤＴは、音出力ユニット１５０へ送られる。
【００３４】
上記の映像処理部１３４は、復調映像データＤＩＤに基づいて映像データＩＤＴを生成する。生成された映像データＩＤＴは、表示ユニット１６０へ送られる。
【００３５】
図１に戻り、上記の操作入力ユニット１４０は、受信装置１００の本体部に設けられたキー部、及び／又はキー部を備えるリモート入力装置等により構成される。ここで、本体部に設けられたキー部としては、表示ユニット１６０に設けられたタッチパネルを用いることができる。また、キー部を有する構成に代えて、又は併用して音声認識技術を利用して音声にて入力する構成を採用することもできる。
【００３６】
この操作入力ユニット１４０を利用者が操作することにより、受信装置１００の動作内容の設定が行われる。例えば、利用者による放送事業者を指定した選局指定等が、操作入力ユニット１４０を利用して行われる。こうした入力内容は、操作入力データＩＰＤとして、操作入力ユニット１４０から制御ユニット１８０へ向けて送られる。
【００３７】
上記の音出力ユニット１５０は、（ｉ）再生処理ユニット１３０から受信した音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１５０は、選局されている再生チャンネルの放送波に対応する放送音声を再生出力する。
【００３８】
上記の表示ユニット１６０は、例えば、（ｉ）液晶パネル、有機ＥＬ（Electro Luminescence）パネル、ＰＤＰ（Plasma Display Panel）等の表示デバイスと、（ii）再生処理ユニット１３０から受信した映像データＩＤＴに従って、当該表示デバイスに画像を表示させる表示制御回路とを備えている。この表示ユニット１６０は、選局されている再生チャンネルに対応する放送画像を再生表示する。
【００３９】
上記の制御ユニット１８０は、受信装置１００の全体の動作を制御する。この制御ユニット１８０は、図５に示されるように、記憶手段としての記憶部１８１と、スキャン手段、生成手段としてのチャンネルリスト作成部１８２と、最適局サーチ部１８３とを備えている。また、制御ユニット１８０は、スキャン条件判断手段としての処理制御部１８４を備えている。
【００４０】
上記の記憶部１８１には、図６に示されるように、チャンネルリストＣＨＬと、中継局周波数情報ＲＳＦとが記憶される。この記憶部１８１には、チャンネルリスト作成部１８２、最適局サーチ部１８３、及び、処理制御部１８４がアクセス可能となっている。なお、チャンネルリストＣＨＬ及び中継局周波数情報ＲＳＦは、チャンネルリスト作成部１８２により作成、更新されるようになっている。
【００４１】
上記のチャンネルリストＣＨＬには、図７に示されるように、車両が存在する各位置において、放送事業者の指定選局に適切であることが推定される物理チャンネルＣＨp（ｐ＝１，２，…）の周波数ＦＱpと、当該物理チャンネルＣＨpに対応する放送事業者識別情報ＢＣp及び地域識別情報ＡＲpを含む識別情報とが記憶されている。
【００４２】
上記の中継局周波数情報ＲＳＦには、図８に示されるように、上述した物理チャンネルＣＨp（ｐ＝１，２，…）ごとに、当該物理チャンネルＣＨpの代替局となり得る中継局（＃１，＃２，…）の周波数情報ＮＴＦp,1，ＮＴＦp,2，…が記憶されている。
【００４３】
図５に戻り、上記のチャンネルリスト作成部１８２は、処理制御部１８４からのスキャン指令ＳＣＳを受けると、全物理チャンネルをスキャンする。かかるスキャンに際して、本実施形態では、チャンネルリスト作成部１８２は、現時点における地上デジタル放送に対応して、ＵＨＦにおける１３チャンネル（周波数４７３ＭＨｚ）から６２チャンネル（周波数７６７ＭＨｚ）までの１チャンネルごと周波数を指定したスキャン用選局要求ＳＣＲを、順次、処理制御部１８４へ向けて発行しつつ、再生処理ユニット１３０からの検出値ＣＮＲSに基づいて、全物理チャンネルの受信状態を収集する。チャンネルリスト作成部１８２は、この受信状態の収集と並行して、検出値ＣＮＲSが所定値以上である場合に、信号ＤＢＤ2から、物理チャンネルごとのＮＩＴ情報を抽出し、対応する検出値ＣＮＲSとともに保持する。
【００４４】
引き続き、チャンネルリスト作成部１８２は、チャンネルリストＣＨＬの内容と、全物理チャンネルのスキャン結果とに基づいて、チャンネルリストＣＨＬ及び中継局周波数情報ＲＳＦの更新処理を行う。この更新処理が終了すると、チャンネルリスト作成部１８２は、その旨を処理制御部１８４へ報告するようになっている。
【００４５】
ここで、中継局周波数情報ＲＳＦの更新処理に際して、チャンネルリスト作成部１８２は、更新後のチャンネルリストＣＨＬに登録された物理チャンネルごとに、同一放送事業者識別情報及び同一地域識別情報を有する物理チャンネルの周波数情報を抽出する。そして、抽出された周波数情報に基づいて、中継局周波数情報ＲＳＦを更新する。なお、チャンネルリストＣＨＬの更新処理の詳細については、後述する。
【００４６】
以下においては、スキャン処理において、検出値ＣＮＲSが所定値以上の物理チャンネルとして特定された物理チャンネルを、「特定された物理チャンネル」と呼ぶ。
【００４７】
チャンネルリスト作成部１８２は、本実施形態では、チャンネルリストＣＨＬの更新処理に際して、チャンネルリストＣＨＬに登録されている放送事業者識別情報のうちに、特定された物理チャンネルに対応する放送事業者識別情報に含まれない放送事業者識別情報が存在する場合には、当該放送事業者識別情報と関連付けられている地域識別情報が特定された物理チャンネルに対応する地域識別情報に含まれているという条件のもとで、当該放送事業者識別情報に対応する物理チャンネルの情報を、チャンネルリストＣＨＬに残存させるようになっている。
【００４８】
上記の最適局サーチ部１８３は、処理制御部１８４からのサーチ指令ＳＲＳを受けると、最適局のサーチ処理を行う。このサーチ指令ＳＲＳには、再生指定されている放送事業者のチャンネルリストＣＨＬ中の物理チャンネルに関する情報が含まれている。
【００４９】
かかるサーチ処理に際して、最適局サーチ部１８３は、記憶部１８１内の中継局周波数情報ＲＳＦを参照して、再生指定されている物理チャンネルＣＨpと同一内容の放送を行う中継局ごとの周波数情報ＮＴＦp,1，ＮＴＦp,2，…を読み取る。そして、最適局サーチ部１８３は、順次、中継局の周波数情報ＮＴＦp,q（ｑ＝１，２，…）に含まれる周波数を指定したサーチ用選局要求ＳＲＲを、処理制御部１８４へ向けて発行しつつ、再生処理ユニット１３０からの検出値ＣＮＲSを収集する。
【００５０】
そして、最適局サーチ部１８３は、検出値ＣＮＲSの収集結果に基づいて最適チャンネルを決定する。かかる決定結果は、最適チャンネル報告ＯＰＣとして、処理制御部１８４へ報告される。
【００５１】
上記の処理制御部１８４は、選局制御を行う。この選局制御に際して、処理制御部１８４は、ＲＦ処理ユニット１２０j（ｊ＝１，２）へ選局指令ＣＳＬjを送る。また、処理制御部１８４は、再生処理ユニット１３０（より詳しくは、信号合成部２２２）へ合成制御指令ＳＮＣを送る。
【００５２】
この処理制御部１８４は、操作入力ユニット１４０から利用者による放送事業者を指定した選局指定を受けると、記憶部１８１にアクセスする。そして、処理制御部１８４は、記憶部１８１内のチャンネルリストＣＨＬを参照して、当該選局指定により指定された放送事業者の物理チャンネルに対応する信号を抽出するための選局指令ＣＳＬ1，ＣＳＬ2を生成して、それぞれ、ＲＦ処理ユニット１２０1，１２０2へ送る。
【００５３】
また、処理制御部１８４は、再生処理ユニット１３０からの検出値ＣＮＲMを収集して、当該検出値ＣＮＲMが所定値未満となるか否かの判定を行う。処理制御部１８４は、検出値ＣＮＲMが所定値未満となった場合に、サーチ指令ＳＲＳを最適局サーチ部１８３に対して発行する。なお、当該サーチ指令ＳＲＳには、上述したように再生指定されている物理チャンネルに関する情報が含まれている。
【００５４】
また、処理制御部１８４は、最適局サーチ部１８３からのサーチ用選局要求ＳＲＲを受けると、サーチ用選局要求ＳＲＲに従った選局指令ＣＳＬ2を生成する。そして、処理制御部１８４は、当該指令をＲＦ処理ユニット１２０2へ向けて出力する。また、最適局サーチ部１８３によるサーチ処理が終了し、処理制御部１８４が最適チャンネル報告ＯＰＣを受けると、サーチ処理により決定された最適チャンネルが、再生処理中の物理チャンネルと同一であるか否かを判定する。この判定の結果が、否定的であった場合には、最適チャンネル報告ＯＰＣに従って選局指令ＣＳＬ1，ＣＳＬ2を生成する。そして、処理制御部１８４は、選局指令ＣＳＬ1，ＣＳＬ2を、それぞれ、ＲＦ処理ユニット１２０1，１２０2へ向けて出力する。
【００５５】
また、処理制御部１８４は、サーチ処理により決定された最適チャンネルが再生処理中の物理チャンネルと同一であるか否かの判定の結果が否定的であった場合には、前回のスキャン処理から放送波の受信状況が大きく変化し、チャンネルリストＣＨＬの更新が必要となったと判断して、スキャン指令ＳＣＳをチャンネルリスト作成部１８２に対して発行する。そして、処理制御部１８４は、信号ＩＦＳ1，ＩＦＳ2を合成しない旨の合成制御指令ＳＮＣを生成して再生処理ユニット１３０へ向けて出力する。
【００５６】
また、処理制御部１８４は、チャンネルリスト作成部１８２からのスキャン用選局要求ＳＣＲを受けると、サーチ用選局要求ＳＲＲに従った選局指令ＣＳＬ2を生成する。そして、処理制御部１８４は、当該指令をＲＦ処理ユニット１２０2へ向けて出力する。
【００５７】
また、処理制御部１８４は、利用者により、チャンネルリストＣＨＬに登録されていない識別情報に関連付けられた再生指定のための物理チャンネル（以下、「再生物理チャンネル」とも記す）、又は、放送波の受信品質を検出するための物理チャンネル（以下、「検出物理チャンネル」とも記す）を指定した新たな選局指定がなされた場合に、指定された物理チャンネルに対応する選局指令ＣＳＬ2を生成してＲＦ処理ユニット１２０2へ送った後に、再生処理ユニット１３０からの検出値ＣＮＲSを収集する。そして、処理制御部１８４は、検出値ＣＮＲSが所定値以上であった場合には、前回のスキャン処理から放送波の受信状況が大きく変化し、チャンネルリストＣＨＬの更新が必要となったと判断して、スキャン指令ＳＣＳをチャンネルリスト作成部１８２に対して発行する。なお、当該新たな選局指定が再生物理チャンネルに関する選局指定であった場合には、処理制御部１８４は、指定された物理チャンネルに対応する選局指令ＣＳＬ1を生成してＲＦ処理ユニット１２０1へ送る処理を併せて行う。
【００５８】
また、処理制御部１８４は、利用者により、チャンネルリストＣＨＬに登録されている識別情報の１つと同一の識別情報に関連付けられた再生物理チャンネル、又は、検出物理チャンネルを指定した新たな選局指定がなされた場合に、当該物理チャンネル、又は、検出物理チャンネルが、当該同一の識別情報に対応するチャンネルリストＣＨＬに登録されている物理チャンネル（以下、「登録物理チャンネル」とも記す）と異なるときには、指定された物理チャンネルに対応する選局指令ＣＳＬ2を生成してＲＦ処理ユニット１２０2へ送った後に、再生処理ユニット１３０からの検出値ＣＮＲSを収集する。引き続き、処理制御部１８４は、登録物理チャンネルを指定した選局指令ＣＳＬ2を生成してＲＦ処理ユニット１２０2へ送った後に、再生処理ユニット１３０からの検出値ＣＮＲSを収集する。そして、処理制御部１８４は、再生物理チャンネル、又は、検出物理チャンネルを指定したときの検出値ＣＮＲSが、登録物理チャンネルを指定したときの検出値ＣＮＲSと比べて良好であった場合には、チャンネルリストＣＨＬの更新が必要となったと判断して、スキャン指令ＳＣＳをチャンネルリスト作成部１８２に対して発行する。なお、当該新たな選局指定が再生物理チャンネルに関する選局指定であった場合には、上記と同様に、処理制御部１８４は、指定された物理チャンネルに対応する選局指令ＣＳＬ1を生成してＲＦ処理ユニット１２０1へ送る処理を併せて行う。
【００５９】
なお、処理制御部１８４は、スキャン処理の終了報告又は最適チャンネル報告ＯＰＣを受けると、信号ＩＦＳ1，ＩＦＳ2を合成すべき旨の合成制御指令ＳＮＣを再生処理ユニット１３０へ向けて出力する。
【００６０】
［動作］
以上のようにして構成された受信装置１００の動作について、制御ユニット１８０のチャンネルリスト作成部１８２における記憶部１８１内のチャンネルリストＣＨＬの更新処理に主に着目して説明する。
【００６１】
当初においては、制御ユニット１８０の処理制御部１８４が信号合成部２２２へ向けて発行する合成制御指令ＳＮＣにより、信号ＩＦＳ1，ＩＦＳ2を合成した信号ＳＮＤが、復調部２２３1及びＣＮＲ検出部２２５Mへ向けて送られている（図３参照）。また、処理制御部１８４は、放送波の受信品質として、ＣＮＲ検出部２２５Mからの検出値ＣＮＲMを収集しているものとする。そして、処理制御部１８４は、検出値ＣＮＲMに基づいて、最適局サーチ部１８３に対してサーチ指令ＳＲＳを発行するか否かを判断するようになっている。
【００６２】
このような状況のもとで、処理制御部１８４は、前回のスキャン処理から放送波の受信状況が大きく変化したと判断される上述の事象が発生すると、スキャン条件が満たされ、チャンネルリストＣＨＬの更新が必要となったと判断して、スキャン指令ＳＣＳをチャンネルリスト作成部１８２に対して発行するとともに、信号ＩＦＳ1，ＩＦＳ2を合成しない旨の合成制御指令ＳＮＣを、信号合成部２２２へ対して発行する。
【００６３】
処理制御部１８４からのスキャン指令ＳＣＳを受けると、チャンネルリスト作成部１８２によりチャンネルリストＣＨＬの更新処理が開始される。このチャンネルリストＣＨＬの更新処理では、まず、図９のステップＳ１１において、チャンネルリスト作成部１８２が、全物理チャンネルのスキャンを実行する。かかるスキャンに際して、チャンネルリスト作成部１８２は、１３チャンネルから６２チャンネルまでの１チャンネルごと周波数を指定したスキャン用選局要求ＳＣＲを、順次、処理制御部１８４へ向けて発行しつつ、再生処理ユニット１３０からの検出値ＣＮＲSに基づいて、全物理チャンネルの受信状態を収集する。そして、チャンネルリスト作成部１８２は、検出値ＣＮＲSが所定値以上の物理チャンネルを特定しつつ、特定された物理チャンネルのそれぞれに関する周波数情報、及び、放送事業者識別情報及び地域識別情報を含む識別情報を抽出する。この識別情報は、チャンネルリスト作成部１８２が、信号ＤＢＤ2に含まれているＮＩＴ情報におけるネットワーク識別子から抽出される。
【００６４】
次に、ステップＳ１２において、チャンネルリスト作成部１８２が、特定された物理チャンネルのそれぞれに関する識別情報のうちから、最初の識別情報を選択する。
【００６５】
次いで、ステップＳ１３において、チャンネルリスト作成部１８２が、まず、選択された識別情報を有する物理チャンネルを検索する。そして、検索された物理チャンネルが複数存在するか否かを判定する。この判定の結果が否定的であった場合（ステップＳ１３：Ｎ）には、処理はステップＳ１４へ進む。
【００６６】
ステップＳ１４では、チャンネルリスト作成部１８２が、１つのみ検索された物理チャンネルの周波数情報と、当該物理チャンネルに対応する放送事業者識別情報及び地域識別情報を含む識別情報とを関連付けて、チャンネルリストＣＨＬに追加する。
【００６７】
例えば、図１０に示される更新前のチャンネルリストＣＨＬの状態から、全物理チャンネルのスキャンの結果、図１１に示される物理チャンネルが特定されたとする。この場合においては、情報「ＣＨX、○○放送、関東広域」、「ＣＨY、△△放送、関東広域」、「ＣＨZ、＊＊テレビ、群馬」を、チャンネルリストＣＨＬに追加する。この後、処理は図９のステップＳ１６へ進む。
【００６８】
一方、ステップＳ１３における判定の結果が肯定的であった場合（ステップＳ１３：Ｙ）には、処理はステップＳ１５へ進む。ステップＳ１５では、チャンネルリスト作成部１８２が、複数存在する検索された物理チャンネルのうちから、受信品質が最良の物理チャンネルを選択する。そして、チャンネルリスト作成部１８２は、受信品質が最良の物理チャンネルの周波数情報と、当該物理チャンネルに対応する放送事業者識別情報及び地域識別情報を含む識別情報とを関連付けて、チャンネルリストＣＨＬに追加する。この後、処理はステップＳ１６へ進む。
【００６９】
ステップＳ１６では、チャンネルリスト作成部１８２が、抽出された識別情報の種類ごとに、当該識別情報と関連付けられた物理チャンネルのすべてについて、チャンネルリストＣＨＬへの追加処理を行ったか否か、すなわち、上述したステップＳ１３〜Ｓ１５の処理を行ったか否かを判定する。この判定の結果が否定的であった場合（ステップＳ１６：Ｎ）には、処理はステップＳ１７へ進む。ステップＳ１７では、チャンネルリスト作成部１８２が、特定された物理チャンネルのそれぞれに関する識別情報のうちから、次の識別情報を選択する。この後、処理はステップＳ１３へ戻る。
【００７０】
抽出された識別情報の種類ごとに、当該識別情報と関連付けらた物理チャンネルのすべてについて、チャンネルリストＣＨＬへの追加処理を行い、ステップＳ１６における判定の結果が肯定的になると（ステップＳ１６：Ｙ）、処理はステップＳ１８へ進む。
【００７１】
ステップＳ１８では、チャンネルリスト作成部１８２が、チャンネルリストＣＨＬからの情報の削除処理を行う。かかる情報の削除処理に際しては、図１２に示されるように、まず、ステップＳ２１において、チャンネルリスト作成部１８２が、チャンネルリストＣＨＬに、追加された物理チャンネルの識別情報と同一の識別情報で関連付けられた物理チャンネルの周波数情報が登録されているか否かを判定する。この判定の結果が肯定的であった場合（ステップＳ２１：Ｙ）には、処理はステップＳ２２へ進む。ステップＳ２２では、チャンネルリスト作成部１８２が、当該登録されていた物理チャンネルの周波数情報と、当該物理チャンネルに対応する放送事業者識別情報及び地域識別情報を含む識別情報とを、チャンネルリストＣＨＬから削除する。
【００７２】
このステップＳ２２における処理により、上述した図１０におけるチャンネルリストＣＨＬから、情報「ＣＨA、○○放送、関東広域」、「ＣＨB、△△放送、関東広域」が削除されることになる。この後、処理は図１２のステップＳ２３へ進む。また、ステップＳ２１における判定の結果が否定的であった場合（ステップＳ２１：Ｎ）にも、処理はステップＳ２３へ進む。
【００７３】
ステップＳ２３では、チャンネルリスト作成部１８２が、チャンネルリストＣＨＬに登録されている地域識別情報のうちに、特定された物理チャンネルに対応する地域識別情報に含まれない地域識別情報が存在するか否かを判定する。この判定の結果が肯定的であった場合（ステップＳ２３：Ｙ）には、処理はステップＳ２４へ進む。
【００７４】
ステップＳ２４では、特定された物理チャンネルに対応する地域識別情報に含まれない地域識別情報に対応する物理チャンネルの情報を、チャンネルリストＣＨＬから削除する。このステップＳ２４における処理により、チャンネルリストＣＨＬから、「ＣＨC、テレビ□□、埼玉」が、さらに、削除されることになる。この結果、チャンネルリストＣＨＬは、図１３に示されるようになる。
【００７５】
この後、チャンネルリスト作成部１８２は、チャンネルリストＣＨＬの更新処理を終了する。また、ステップＳ２３における判定の結果が否定的であった場合（ステップＳ２３：Ｎ）にも、チャンネルリスト作成部１８２は、チャンネルリストＣＨＬの更新処理を終了する。
【００７６】
なお、今回チャンネルリストＣＨＬの更新処理では、情報「ＣＨD、＃＃テレビ、関東広域」については、今回のスキャンにより特定されなかったが、地域識別が特定された物理チャンネルの地域識別と同じ関東広域なので、チャンネルリストＣＨＬに残存させる。
【００７７】
以上説明したように、本実施形態では、チャンネルリスト作成部１８２が、全物理チャンネルのスキャンに際して、再生処理ユニット１３０からの検出値ＣＮＲSに基づいて、検出値ＣＮＲSが所定値以上の物理チャンネルを特定しつつ、特定された物理チャンネルのそれぞれに関する周波数情報、及び、放送事業者識別情報及び地域識別情報を含む識別情報を抽出する。そして、チャンネルリスト作成部１８２は、特定された物理チャンネルのうちにおいて、識別情報の種類ごとに、受信品質が最良の物理チャンネルを選択し、選択された物理チャンネルの周波数情報と、当該選択された物理チャンネルに対応する放送事業者識別情報及び地域識別情報を含む識別情報とを関連付けて、チャンネルリストＣＨＬに追加する。また、チャンネルリスト作成部１８２は、既に、追加された物理チャンネルの識別情報と同じ識別情報と関連付けられた物理チャンネルの周波数情報が登録されていた場合には、登録されていた物理チャンネルの周波数情報と、当該物理チャンネルに対応する放送事業者識別情報及び地域識別情報を含む識別情報とを、チャンネルリストＣＨＬから削除する。
【００７８】
また、本実施形態では、チャンネルリスト作成部１８２は、チャンネルリストに登録されている地域識別情報のうちに、特定された物理チャンネルに対応する地域識別情報に含まれない地域識別情報が存在する場合には、当該地域識別情報に対応する物理チャンネルの情報を、チャンネルリストＣＨＬから削除する。このため、位置検出手段により車両が存在する各位置を特定することなく、車両が存在する各位置における放送事業者の指定選局に適切なチャンネルリストＣＨＬに更新することができる。
【００７９】
したがって、本実施形態によれば、記憶資源を節約しつつ、車両が存在する各位置において、受信に適切な物理チャンネルに関する情報が登録されたチャンネルリストを用意することができる。
【００８０】
［実施形態の変形］
本発明は、上記の実施形態に限定されるものではなく、様々な変形が可能である。
【００８１】
例えば、上記の実施形態では、ＣＮＲ（Carrier to Noise Ratio）に基づいて、放送波の受信品質を評価した。これに対して、受信品質の評価は、ＲＦ処理ユニット１２０j（ｊ＝１，２）からの出力信号に対してＡＧＣ（Auto Gain Control）を行う場合におけるＡＧＣ信号の値、ミキサから取得可能なＲＳＳＩ（Received Signal Strength Indicator）、映像伝送方式にＭＰＧＧ２−ＴＳ方式を採用した場合におけるパケットエラーフラグ等に基づいて行うようにしてもよい。
【００８２】
また、上記の実施形態の受信装置は、アンテナとＲＦ処理ユニットとの組を２組備えることとしたが、アンテナとＲＦ処理ユニットとの組は１組であってもよいし、３組以上であってもよい。
【００８３】
また、上記の実施形態では、チャンネルリスト作成部は、全物理チャンネルをスキャンすることとした。これに対して、最適局サーチ部がサーチ処理の際に受信品質を確認した物理チャンネルについては、チャンネルリスト作成部が、スキャンを行う物理チャンネルから外すようにしてもよい。この場合においては、チャンネルリスト作成部は、最適局サーチ部からサーチ処理の際に確認した放送波の受信品質を取得し、当該受信品質が所定値以上のものを特定する物理チャンネルに加えるようにすればよい。
【００８４】
また、上記の実施形態では、チャンネルリスト作成部は、最適局サーチ部によるサーチ後に、全物理チャンネルのスキャンを行うこととした。これに対して、スキャンを行うタイミングは、利用者が指定するようにすることができる。かかるタイミングとしては、利用者が受信装置からの音声及び映像を視聴していないとき（例えば、オーディオ機器により楽曲を再生しているとき）に、スキャンを行うようにしてもよい。
【００８５】
また、表示ユニットを利用して、最新のスキャンにより特定された物理チャンネルに対応する情報と、最新のスキャンにより特定されなかった物理チャンネルに対応する情報とを区別して、利用者に提示するようにしてもよい。
【００８６】
また、上記の実施形態においては、車両に搭載される受信装置に本発明を適用したが、車両以外の他の移動体（例えば、携帯電話）に搭載される放送受信機能を有する装置に本発明を適用することもできる。
【００８７】
なお、上記の実施形態における制御ユニット１８０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【００８８】
１００   …  受信装置
１８１   …  記憶部（記憶手段）
１８２   …  チャンネルリスト作成部（スキャン手段、生成手段）
１８４   …  処理制御部（スキャン条件判断手段）
２２５S  …  ＣＮＲ検出部（検出手段）
【図１】
2010245694.tif 000003
【図２】
2010245694.tif 000004
【図３】
2010245694.tif 000005
【図４】
2010245694.tif 000006
【図５】
2010245694.tif 000007
【図６】
2010245694.tif 000008
【図７】
2010245694.tif 000009
【図８】
2010245694.tif 000010
【図９】
2010245694.tif 000011
【図１０】
2010245694.tif 000012
【図１１】
2010245694.tif 000013
【図１２】
2010245694.tif 000014
【図１３】
2010245694.tif 000015